(57)【要約】      （修正有）【課題】電動玩具銃の提供。【解決手段】トリガー１が引かれると、導電制動シート２と制動ブロック２３が一体に下に移動し、スイングロッド５のプッシュブロックが第１歯の後側に位置するか、或いは第２歯の後側に位置するか、或いは第２歯の前側に位置させられる。これにより、スイングロッド５の作動によりプッシュブロックが前向きに第１歯を押すか、或いはプッシュブロックが前向きに先に第２歯を押して移動した後に、続いて後ろ向きに移動されてさらに第１歯を押動させて、制動ブロック２３を前に移動させて連接棒１２の制動端１２２の押下より離脱し、これにより、導電制動シート２を電気連結シート３より弾性離脱させ、停電、位置回復させるか、或いはプッシュブロックに第１歯及び第２歯を押動させず、わずかにトリガー１を釈放する時に導電制動シート２を上に移動させて停電、位置回復させ、単発、二連発、或いは多連発の実施状況を達成する。【選択図】図４
2014238196.tif 000002
【特許請求の範囲】
【請求項１】
電動玩具銃であって、トリガー、導電制動シート、電気連結シート、ギアアセンブリ、スイングロッド、及び制御アセンブリを具え、該トリガーは連接棒を駆動し、且つ該トリガーが引かれる時、該連接棒は該導電制動シートを駆動して移動させて該電気連結シートと電気的に接触させて通電させ、且つ該ギアアセンブリはそれにより回転し、並びに該スイングロッドを反復揺動させ、該スイングロッドの上端は作動端があり、該導電制動シートは該電気連結シートを弾性離脱して停電し、もとの位置に戻ることができる上記電動玩具銃において、
該連接棒は枢接端と制動端を具え、該枢接端は該トリガーと枢接され、且つ該トリガーが引かれる時、該連接棒の枢接端は上昇し、該制動端は下に移動し、該導電制動シートは制動ブロックが弾性挿通され、該制動ブロックの側辺に第１歯と第２歯が設けられ、該第２歯は該第１歯の前側に位置し、該トリガーが引かれて該制動端が下に移動する時、該制動端は該制動ブロックを押し下げて、該導電制動シートと該制動ブロックを一体に下に移動させ、これにより、該導電制動シートが該電気連結シートと接触して通電し、且つ該制動ブロックは下に移動した後に、ちょうど該スイングロッドの作動端の側辺に位置し、該スイングロッドの作動端はプッシュブロックに結合され、該制御アセンブリは該制動ブロックの水平位置を制御でき、該導電制動シートを該制動ブロックと一体に下に移動させた後に、該プッシュブロックは該第１歯の後側、或いは第２歯の後側、或いは第２歯の前側に位置し得て、
該プッシュブロックが該第１歯の後側に位置し、且つ該スイングロッドが作動して該作動端を前に移動させる時、該プッシュブロックは前向きに該第１歯を移動させ、且つ該制動ブロックはこれに伴い前向きに移動して該連接棒の制動端による下圧より離脱し、これにより、該導電制動シートは該電気連結シートより弾性離脱し、停電しもとの位置に戻り、
また、該プッシュブロックが該第２歯の後側に位置し、且つスイングロッドが作動して該作動端が前向きに移動する時、該プッシュブロックはまず前向きに該第２歯を押動して該制動ブロックを前向きに移動させ、且つ該制動ブロックが前向きに移動した後、該プッシュブロックはまた後ろ向きに第１歯の後側に移動し、且つ該スイングロッドが再度作動して該作動端のプッシュブロックに該第１歯を前向きに移動させ、これにより該制動ブロックを前向きに移動させて該連接棒の制動端による下圧より離脱させ、これにより該導電制動シートを該電気連結シートより弾性離脱させて停電しもとの位置に戻し、
また、該プッシュブロックが該第２歯の前側に位置し、且つスイングロッドが作動して該作動端を前向きに移動させる時、該プッシュブロックは並びに該第１歯及び第２歯を押動せず、且つ該スイングロッドの作動端は反復して前後に移動可能で、該トリガーが引かれない時のみ、該連接棒の枢接端が下に移動し且つ該制動端が上昇し、該導電制動シートが上に移動させられて該電気連結シートと接触せず、停電しもとの位置にもどることを特徴とする、電動玩具銃。
【請求項２】
請求項１記載の電動玩具銃において、該制動ブロックは該導電制動シートの上方に位置し、且つ該制動ブロックと該導電制動シートの間に第１バネが水平に設置され、該制動ブロックは前向きに移動した後、後ろ向きに弾性回復できることを特徴とする、電動玩具銃。
【請求項３】
請求項２記載の電動玩具銃において、該制動ブロックの該第１歯の前側は傾斜部とされ、且つ該プッシュブロックと該スイングロッドの作動端との間に第２バネがあり、該プッシュブロックが該作動端に弾性結合させられ、該導電制動シートと該制動ブロックが一体に下に移動させられ且つ該プッシュブロックが第２歯の後側に位置する時、該プッシュブロックが該第２歯を前向きに押動して該制動ブロックを前向きに移動させ、該プッシュブロックは該第２バネの弾力作用、及び傾斜部の案内により、該第１歯の後側に移動させられることを特徴とする、電動玩具銃。
【請求項４】
請求項３記載の電動玩具銃において、該制御アセンブリは回転軸、連動ロッド及びロッドシートを具え、該回転軸の側辺に少なくとも一つの回転ブロックが設けられ、該連動ロッドは該回転軸に枢接され、該ロッドシートは該連動ロッドに枢接され、また、該ロッドシートの両側に下向きに延伸された第１ロッドと第２ロッドがあり、且つ回転ブロックが回される時、該回転軸は回転し且つ該連動ロッドを駆動し、該連動ロッドがこれにより該ロッドシートを回転させ、該第１ロッドと該第２ロッドを相互に反対方向にスイングさせ、且つ該回転ブロックは回転させられた後に第１位置、第２位置及び第３位置を有することを特徴とする、電動玩具銃。
【請求項５】
請求項４記載の電動玩具銃において、該制動ブロックに突棒が増設され、且つ該制御アセンブリの回転ブロックが該第１位置へと回される時、該第１ロッド該前向きに該制動ブロックの突棒を押動し、該制動ブロックを前に移動させ、且つ該導電制動シートと制動ブロックを一体に下に移動させた後には、該プッシュブロックは該第１歯の後側に位置することを特徴とする、電動玩具銃。
【請求項６】
請求項４記載の電動玩具銃において、該制動ブロックに突棒が増設され、且つ該制御アセンブリの該回転ブロックが回転させられて第２位置に至る時、該第１ロッドは該突棒の側辺に位置し、且つ該制動ブロックは未移動で、該導電制動シートと該制動ブロックが一体に下に移動させられた後、該プッシュブロックは該第２歯の後側に位置することを特徴とする、電動玩具銃。
【請求項７】
請求項４記載の電動玩具銃において、該制動ブロックに突棒が増設され、該スイングロッドの上端に別に延伸ロッドが増設され、且つ該制御アセンブリの回転ブロックが回されて該第３位置に至る時、該第１ロッドは後ろ向きに移動して該突棒より離れて該制動ブロックを移動させず、並びに該第２ロッドは前向きに該延伸ロッドを押動して該スイングロッドを前向きに移動させ、該導電制動シートと該制動ブロックが一体に下に移動させられた後、該プッシュブロックは該第２歯の前側に位置することを特徴とする、電動玩具銃。
【請求項８】
トリガー、導電制動シート、電気連結シート、ギアアセンブリ、及びスイングロッドを包含し、該トリガーは連接棒を駆動し、且つ該トリガーが引かれる時、該連接棒は該導電制動シートを押動して移動させ、該電気連結シートと電気的に接触させ通電し、且つこれにより該ギアアセンブリを回転させ、該スイングロッドを反復スイングさせ、該スイングロッドの上端は作動端とされ、また該導電制動シートは該電気連結シートより弾性離脱して停電しもとの位置に回復できる電動玩具銃において、
該連接棒は枢接端と制動端を具え、該枢接端は該トリガーに枢接され、且つ該トリガーが引かれる時、該連接棒の枢接端は上昇し、該制動端は下に移動し、該導電制動シートは別に制動ブロックに弾性挿通され、該制動ブロックの側辺に少なくとも一つの第１歯が設けられ、該制動端が下に移動する時に該制動ブロックを下に押して該導電制動シートと該制動ブロックを一体に下に移動させ、これにより該導電制動シートが該電気連結シートと接触し、通電し、且つ下に移動した後に該制動ブロックはちょうど該スイングロッドの作動端の側辺に位置し、該スイングロッドの作動端はまたプッシュブロックに結合され、且つ該プッシュブロックは該第１歯の後側に位置し、これにより、該スイングロッドが作動して該作動端が前向きに移動させられる時、該プッシュブロックが前向きに該第１歯を押動し、且つこれにより該制動ブロックを前に移動させて該連接棒の制動端の下圧より離脱させ、これにより、該導電制動シートが該電気連結シートより弾性離脱して停電しもとの位置に回復することを特徴とする、電動玩具銃。
【請求項９】
トリガー、導電制動シート、電気連結シート、ギアアセンブリ、及びスイングロッドを包含し、該トリガーは連接棒を駆動し、且つ該トリガーが引かれる時、該連接棒は該導電制動シートを押動して移動させ、該電気連結シートと電気的に接触させ通電し、且つこれにより該ギアアセンブリを回転させ、該スイングロッドを反復スイングさせ、該スイングロッドの上端は作動端とされ、また該導電制動シートは該電気連結シートより弾性離脱して停電しもとの位置に回復できる電動玩具銃において、
該連接棒は枢接端と制動端を具え、該枢接端は該トリガーに枢接され、且つ該トリガーが引かれる時、該連接棒の枢接端が上昇し且つ該制動端が下に移動し、該導電制動シートに制動ブロックが弾性挿通し、該制動ブロックの側辺に第１歯及び第２歯が設けられ、且つ該第２歯は該第１歯の前側に位置し、該制動端が下に移動する時は該制動ブロックを下圧し、該導電制動シートを該制動ブロックと一体に下に移動させ、これにより該導電制動シートを該電気連結シートと接触させ通電し、且つ下に移動した後に該制動ブロックはちょうど該スイングロッドの作動端の側辺に位置し、該スイングロッドの作動端に別にプッシュブロックが結合され、該プッシュブロックは該第２歯の後側に位置し、該スイングロッドが作動して該作動端を前向きに移動させる時、該プッシュブロックは該第２歯を前向きに押動し、且つ該制動ブロックを前向きに移動し、並びに該制動ブロックが前向きに移動した後に該プッシュブロックはまた後方に強制的に移動させられ該第１歯の後側に移動させられ、これにより該制動ブロックは該連接棒の制動端の下圧より離脱し、これにより該導電制動シートが該電気連結シートを弾性離脱して停電しもとの位置に回復することを特徴とする、電動玩具銃。
【請求項１０】
トリガー、導電制動シート、電気連結シート、ギアアセンブリ、及びスイングロッドを包含し、該トリガーは連接棒を駆動し、且つ該トリガーが引かれる時、該連接棒は該導電制動シートを押動して移動させ、該電気連結シートと電気的に接触させ通電し、且つこれにより該ギアアセンブリを回転させ、該スイングロッドを反復スイングさせ、該スイングロッドの上端は作動端とされ、また該導電制動シートは該電気連結シートより弾性離脱して停電しもとの位置に回復できる電動玩具銃において、
該連接棒は枢接端と制動端を具え、該枢接端は該トリガーに枢接され、且つ該トリガーが引かれる時、該連接棒の枢接端が上昇し且つ該制動端が下に移動し、該導電制動シートに制動ブロックが弾性挿通し、該制動ブロックの側辺に第１歯及び第２歯が設けられ、且つ該第２歯は該第１歯の前側に位置し、該制動端が下に移動する時は該制動ブロックを下圧し、該導電制動シートを該制動ブロックと一体に下に移動させ、これにより該導電制動シートを該電気連結シートと接触させ通電し、且つ下に移動した後に該制動ブロックはちょうど該スイングロッドの作動端の側辺に位置し、該スイングロッドの作動端に別にプッシュブロックが結合され、該プッシュブロックは該第２歯の前側に位置し、該スイングロッドが作動して該作動端を前向きに移動させる時、該プッシュブロックは該第１歯及び該第２歯を押動せず、且つ該スイングロッドの作動端は反復して前後に移動し、該トリガーが引かれていない時だけ、該連接棒の枢接端が下向きに移動し且つ該制動端が上昇し、該導電制動シートが上に移動させられて該電気連結シートと不接触で停電しもとの位置に回復することを特徴とする、電動玩具銃。
【請求項１１】
請求項８、９或いは１０に記述の電動玩具銃において、該制動ブロックは該導電制動シートの上方に位置し、且つ該制動ブロックと該導電制動シートの間に第１バネが水平設置され、該制動ブロックが前に移動する時に後ろ向きに弾性回復できることを特徴とする、電動玩具銃。
【請求項１２】
請求項９に記述の電動玩具銃において、該制動ブロックは該導電制動シートの上方に位置し、且つ該制動ブロックと該導電制動シートの間に第１バネが水平に設置され、該制動ブロックが前向きに移動する時に、後ろ向きに弾性回復でき、該制動ブロックの該第１歯の前側は傾斜部とされ、且つ該プッシュブロックと該スイングロッドの作動端の間に第２バネがあり、該プッシュブロックが該作動端に弾性結合させられ、該導電制動シートが該制動ブロックと一体に下に移動させられ且つ該プッシュブロックが第２歯の後側に位置する時、該プッシュブロックが前向きに該第２歯を押動して該制動ブロックを前向きに移動させ、該プッシュブロックは該第２バネの弾力作用により、及び該傾斜部の案内にそって移動し、強制的に後ろ向きに該第１歯の後側に移動することを特徴とする、電動玩具銃。
【発明の詳細な説明】
【技術分野】
【０００１】
本発明は一種の電動玩具銃に係り、特に単発、二連発、或いは多連発の実施状況を達成できる電動玩具銃の技術領域を指す。
【背景技術】
【０００２】
電動玩具銃の駆動原理は空気玩具銃とは異なり、駆動メカニズムに関しては、電動玩具銃は、トリガーを引くと、銃身内部の導電制動シートが駆動されて移動し、且つ移動後の銃身内部の対応部分に設けられた電動玩具銃と電気連結シートと接触して通電することで、ハンマー機構を起動し、これは特許文献１、２にみられる。
【０００３】
その撃発時には、電池、モーターにより駆動されるギアアセンブリ１０により、銃身２０中に位置するピストンアセンブリ３０が駆動されて銃身２０の後端に向けて運動し（図１に示されるとおり）、同時に、該ピストンアセンブリ３０にバネ３０１が組み合わされて、前向きの弾性回復の能力を有し、上述のギアアセンブリ１０が回転して一定位置に至る時、上述のピストンアセンブリ３０を釈放し、それと同時にバネ３０１がピストンアセンブリ３０を前向きに回復させ、これにより、高圧気体を動力として、弾丸であるＢＢ弾を押動し、それを銃身に沿って発射し、こうして撃発動作を完成し、並びに次の撃発に待機する。以上が電動玩具銃の電力連通、撃発構造の実施原理である。
【０００４】
このほか、玩具銃の領域において、製造業者はいずれもできる限り玩具銃を本物の銃と同じように設計しようとし、たとえば、銃の外形、単発と連発の機能、及び後座振動力の操作方式を有すること、等である。そのうち、単発と連発機能については、現在、電動玩具銃の領域においては、同時に単発、二連発及び多連発の機能を兼ね備えたものはなく、且つ、特殊玩具銃の銃種においては（たとえば本発明者が以前発明した本物を模倣したエアガン、特許文献３）、その動力を電動に変更し、且つそれに単発、二連発及び多連発の機能を具備させることはなされておらず、これにより、製品の完全性を求め、及び消費者の要求に符合させるためには改善の必要がある。
【先行技術文献】
【特許文献】
【０００５】
【特許文献１】台湾特許証書番号第Ｍ３８９２４９号（米国特許第８１４６５７７号、欧州特許第２３９０６１４号）
【特許文献２】台湾特許証書番号第Ｍ３９５１５０号（米国特許第８０９１５４２号）
【特許文献３】台湾特許公開第２０１３１５９６１号
【発明の概要】
【発明が解決しようとする課題】
【０００６】
以上を受け、本発明の解決しようとする技術問題は、現存の技術の電動玩具銃が同時に単発、二連発及び多連発の機能を有していない欠点に対して、具体的な改善策を提供し、且つ特殊玩具銃の内部空間に対して新たな創作を行うことにある。
【課題を解決するための手段】
【０００７】
本発明が技術問題解決のために採用する技術手段は以下のとおりである。一種の電動玩具銃を発明し、それは、単発、二連発及び多連発の機能を具備する。そのうち、該電動玩具銃は、トリガー、導電制動シート、電気連結シート、ギアアセンブリ、スイングロッド、及び制御アセンブリを具えている。該トリガーは連接棒を駆動し、且つ該トリガーが引かれる時、該連接棒は該導電制動シートを駆動して移動させ、該電気連結シートと電気的に接触させて通電させ、且つ該ギアアセンブリはそれに伴い回転し、並びに該スイングロッドを反復揺動させ、該スイングロッドの上端は作動端があり、該導電制動シートは該電気連結シートを弾性離脱して停電し、もとの位置に戻ることができる。
【０００８】
本発明の主要な技術改良は以下にある。該連接棒は枢接端と制動端を具え、該枢接端は該トリガーと枢接され、且つ該トリガーが引かれる時、該連接棒の枢接端は上昇し、該制動端は下に移動し、該導電制動シートは制動ブロックが弾性挿通され、該制動ブロックの側辺に第１歯と第２歯が設けられ、該第２歯は該第１歯の前側に位置し、該トリガーが引かれて該制動端が下に移動する時、該制動端は該制動ブロックを押し下げて、該導電制動シートと該制動ブロックを一体に下に移動させ、これにより、該導電制動シートが該電気連結シートと接触して通電し、且つ該制動ブロックは下に移動した後に、ちょうど該スイングロッドの作動端の側辺に位置し、該スイングロッドの作動端はプッシュブロックに結合され、該制御アセンブリは該制動ブロックの水平位置を制御でき、該導電制動シートを該制動ブロックと一体に下に移動させた後に、該プッシュブロックは該第１歯の後側、或いは第２歯の後側、或いは第２歯の前側に位置し得る。
【０００９】
以上を受け、該プッシュブロックが該第１歯の後側に位置し、且つ該スイングロッドが作動して該作動端を前に移動させる時、該プッシュブロックは前向きに該第１歯を移動させ、且つ該制動ブロックはこれに伴い前向きに移動して該連接棒の制動端による下圧より離脱し、これにより、該導電制動シートは該電気連結シートより弾性離脱し、停電しもとの位置に戻る。これは単発の構造実施過程である。
【００１０】
また、該プッシュブロックが該第２歯の後側に位置し、且つスイングロッドが作動して該作動端が前向きに移動する時、該プッシュブロックはまず前向きに該第２歯を押動して該制動ブロックを前向きに移動させ、且つ該制動ブロックが前向きに移動した後、該プッシュブロックはまた後ろ向きに第１歯の後側に移動し、且つ該スイングロッドが再度作動して該作動端のプッシュブロックに該第１歯を前向きに移動させ、これにより該制動ブロックを前向きに移動させて該連接棒の制動端による下圧より離脱させ、これにより該導電制動シートを該電気連結シートより弾性離脱させて停電しもとの位置に戻す。これは二連発の構造実施過程である。
【００１１】
また、該プッシュブロックが該第２歯の前側に位置し、且つスイングロッドが作動して該作動端が前向きに移動させられる時、該プッシュブロックは並びに該第１歯及び第２歯を押動せず、ゆえに該スイングロッドの作動端は反復して前後に移動可能で、まだトリガーが引かれない時のみ、該連接棒の枢接端が下に移動し且つ該制動端が上昇し、該導電制動シートが上に移動させられて該電気連結シートと接触せず、停電しもとの位置にもどる。これは多連発の構造実施過程である。
【００１２】
そのうち、該制動ブロックは該導電制動シートの上方に位置し、且つ制動ブロックと該導電制動シートの間に第１バネが水平設置され、該制動ブロックが前向きに移動する時、後ろ向きに弾性回復させられ、これにより、該制動ブロックが前向きに移動する時、該連接棒の制動端の下圧より離脱した後に、該導電制動シートが同時に上向きにもとの位置に弾性回復し、こうして該電気連結シートを離脱し停電する。
【００１３】
このほか、該制動ブロックの該第１歯前側は傾斜部とされ、且つ該プッシュブロックと該スイングロッドの作動端の間には第２バネがあり、これにより該プッシュブロックは該作動端に弾性結合され、これにより該導電制動シートが該制動ブロックと共に下に移動させられ且つ該プッシュブロックが第２歯の後側に位置する時、該プッシュブロックは前向きに該第２歯を移動させて該制動ブロックを前向きに移動させ、該プッシュブロックは該第２バネの弾力作用及び該傾斜部の案内により、強制的に第１歯の後側へと移動させられる。
【００１４】
このほか、該制御アセンブリは回転軸、連動ロッド及びロッドシートを具え、該回転軸の側辺に少なくとも一つの回転ブロックが設けられ、該連動ロッドは該回転軸に枢接され、該ロッドシートは該連動ロッドに枢接され、また、該ロッドシートの両側に下向きに延伸された第１ロッドと第２ロッドがあり、且つ回転ブロックが回される時、該回転軸は回転し且つ該連動ロッドを駆動し、該連動ロッドがこれにより該ロッドシートを回転させ、該第１ロッドと該第２ロッドを相互に反対方向にスイングさせ、且つ該回転ブロックは回転させられた後に第１位置、第２位置及び第３位置を有する。
【００１５】
また、該制動ブロックに突棒が増設され、且つ該制御アセンブリの回転ブロックが該第１位置へと回される時、該第１ロッド該前向きに該制動ブロックの突棒を押動し、該制動ブロックを前に移動させ、且つ該導電制動シートと制動ブロックを一体に下に移動させた後には、該プッシュブロックは該第１歯の後側に位置する。
【００１６】
該制御アセンブリの該回転ブロックが回転させられて第２位置に至る時には、該第１ロッドは該突棒の側辺に位置し、且つ該制動ブロックは未だ移動しておらず、これにより該導電制動シートと該制動ブロックが一体に下に移動させられた後、該プッシュブロックは該第２歯の後側に位置する。
【００１７】
また、該スイングロッドの上端に別に延伸ロッドが増設され、且つ該制御アセンブリの回転ブロックが回されて該第３位置に至る時、該第１ロッドは後ろ向きに移動して該突棒より離れて該制動ブロックを移動させず、並びに該第２ロッドは前向きに該延伸ロッドを押動して該スイングロッドを前向きに移動させ、これにより、該導電制動シートと該制動ブロックが一体に下に移動させられた後、該プッシュブロックは該第２歯の前側に位置する。
【００１８】
これはすなわち、該制御アセンブリが該制動ブロックの水平位置を制御できる構造の実施過程である。
【００１９】
さらに、本発明の技術改良は、単独で単発、二連発及び多連発の具体構造構成及びその実施過程を包含し得る。
【００２０】
すなわち、単発実施時には、該電動玩具銃はトリガー、導電制動シート、電気連結シート、ギアアセンブリ、及びスイングロッドを包含する。該トリガーは連接棒を駆動し、且つ該トリガーが引かれる時、該連接棒は該導電制動シートを押動して移動させ、該電気連結シートと電気的に接触させ通電し、且つこれにより該ギアアセンブリを回転させ、該スイングロッドを反復スイングさせる。該スイングロッドの上端は作動端とされ、また該導電制動シートは該電気連結シートより弾性離脱して停電しもとの位置に弾性回復できる。
【００２１】
そのうち主要な改良部分は以下のとおりである。該連接棒は枢接端と制動端を具え、該枢接端は該トリガーに枢接され、且つ該トリガーが引かれる時、該連接棒の枢接端は上昇し、該制動端は下に移動し、該導電制動シートは別に制動ブロックに弾性挿通され、該制動ブロックの側辺に少なくとも一つの第１歯が設けられ、該制動端が下に移動する時に該制動ブロックを下に押して該導電制動シートと該制動ブロックを一体に下に移動させ、これにより該導電制動シートが該電気連結シートと接触し、通電し、且つ下に移動した後に該制動ブロックはちょうど該スイングロッドの作動端の側辺に位置し、該スイングロッドの作動端はまたプッシュブロックに結合され、且つ該プッシュブロックは該第１歯の後側に位置し、これにより、該スイングロッドが作動して該作動端が前向きに移動させられる時、該プッシュブロックが前向きに該第１歯を押動し、且つこれにより該制動ブロックを前に移動させて該連接棒の制動端の下圧より離脱させ、これにより、該導電制動シートが該電気連結シートより弾性離脱して停電しもとの位置に弾性回復する。
【００２２】
二連発実施時に、その構造組成は上述の単発実施とほぼ同じであるが、区別は、該制動ブロックの側辺に第１歯及び第２歯が設けられ、且つ該第２歯は該第１歯の前側に位置し、また、該制動ブロックが下に移動した後、該プッシュブロックは該第２歯の後側に位置し、これにより、該スイングロッドが作動し該作動端が前に移動させられる時、該プッシュブロックが該第２歯を前向きに押動し、且つ該制動ブロックを前向きに移動させ、並びに該制動ブロックが前向きに移動した後には該プッシュブロックが後ろに移動させられて該第１歯の後側に移動させられ、且つ該スイングロッドはこれにより作動して該作動端のプッシュブロックに該第１歯を前向きに押動させ、これにより、該制動ブロックは該連接棒の制動端の下圧より離脱し、これにより、該導電制動シートが該電気連結シートを弾性離脱し停電しもとの位置に戻る。
【００２３】
さらに、多連発実施時に、その構造と二連発実施はほぼ同じであり、その違いは、該制動ブロックが下に移動した後、該プッシュブロックが該第２歯の前側に位置し、これにより、該スイングロッドが作動して該作動端が前向きに移動させられる時、該プッシュブロックが該第１歯及び該第２歯を押動せず、これにより、該スイングロッドの作動端は反復し前後移動を呈し、これはすなわち、該ギアアセンブリが連続作動し続けて撃発する過程で、わずかにトリガーが引かれない時に、該連接棒の枢接端が下に移動し且つ該制動端が上昇し、該導電制動シートが上に移動させられて該電気連結シートと接触せず停電しもとの位置に戻る。
【００２４】
以上により、該制動ブロックは該導電制動シートの上方に位置し、且つ該制動ブロックと該導電制動シートの間に第１バネが水平に設置され、これにより該制動ブロックが前向きに移動する時に、後ろ向きに弾性回復できる。
【００２５】
また、二連発実施時に、該制動ブロックの該第１歯の前側は傾斜部とされ、且つ該プッシュブロックと該スイングロッドの作動端の間に第２バネがあり、該プッシュブロックが該作動端に弾性結合させられ、該導電制動シートが該制動ブロックと一体に下に移動させられ且つ該プッシュブロックが第２歯の後側に位置する時、該プッシュブロックが前向きに該第２歯を押動して該制動ブロックを前向きに移動させ、該プッシュブロックは該第２バネの弾力作用により、及び該プッシュブロックが該傾斜部を移動し、続いて後ろ向きに該第１歯の後側に移動する。
【発明の効果】
【００２６】
本発明は電動玩具銃の内部空間に対して、トリガー、導電制動シート、電気連結シート、ギアアセンブリ、スイングロッド及び制御アセンブリの構成を設置し連動させることで、電動玩具銃を単発、二連発及び多連発の機能を選択して実施できるものとし、これにより、その本物の模倣性を増し、且つ製品の完全性を増し消費者の要求を満たすようにする。
【００２７】
本発明はまた、電動玩具銃の内部空間に、トリガー、導電制動シート、電気連結シート、ギアアセンブリ、スイングロッドの構成を設置し連動させることで、電動玩具銃が単独で単発、二連発或いは多連発の機能を達成できるようにし、その本物の模倣性を増す。
【図面の簡単な説明】
【００２８】
【図１】周知の電動玩具銃の駆動構造実施例図である。
【図２】本発明の平面実施例図である。
【図３】本発明の主要部分の立体実施例図である。
【図４】本発明の主要部分の平面構造図である。
【図５】図４のトリガーが引かれた時の平面構造作動図である。
【図６】本発明の主要部分の別の側面の立体図である。
【図７】本発明のトリガーが引かれていない時の別の側面の平面構造図である。
【図８】図７のトリガーが引かれた時の平面構造図である。
【図９】本発明の単発実施時の、制動ブロックとプッシュブロックの位置の俯瞰図である。
【図１０】図９の制動ブロックが前向きに移動する時の平面構造図である。
【図１１】本発明の二連発実施時の、第１発の制動ブロックとプッシュブロックの位置の俯瞰図である。
【図１２】本発明の二連発実施時の、第２発の制動ブロックとプッシュブロックの位置の俯瞰図である。
【図１３】本発明の多連発実施時の、制動ブロックとプッシュブロックの位置の俯瞰及びその動作表示図である。
【発明を実施するための形態】
【００２９】
図２に示されるように、本発明の電動玩具銃は、主銃身Ａ及び副銃身Ｂのほか、図３に示されるように、トリガー１、導電制動シート２、電気連結シート３（図４を参照されたい）、ギアアセンブリ４、スイングロッド５と制御アセンブリ６が取り付けられ、さらに、ピストンアセンブリ７（図４を参照されたい）を具えている。
【００３０】
トリガー１（図３、４に示されるとおり）は、副銃身Ｂ（図２を参照）に取り付けられ、トリガー１の前端は、軸棒１１で連接棒１２が枢接され、連接棒１２は中央部分で軸棒１１と枢接され、且つ連接棒１２の後方、前方はそれぞれ枢接端１２１、制動端１２２とされ、また、連接棒１２は枢接端１２１において、後ろ向きに傾斜する長孔１２３（図４に示されるとおり）を具えている。トリガー１はこのほかに、押し軸１３が増設され、該押し軸１３は該長孔１２３に通され、且つ平時にトリガー１が引かれない時は、枢接端１２１は下降し（図４に示されるとおり）、制動端１２２は上昇する。トリガー１が引かれる時、押し軸１３が長孔１２３中で後ろに移動し、これにより連接棒１２の枢接端１２１が上昇し（図５に示されるとおり）、且つ制動端１２２が下降する。
【００３１】
導電制動シート２（図３、４に示されるとおり）は、座体２’内に取り付けられ、且つ導電制動シート２と座体２’の底部との間には複数の弾性部品２１を具え、導電制動シート２が座体２’内に弾性装着され、且つもとの位置に弾性回復の能力を有する（図４、５に示されるとおり）。このほか、導電制動シート２の底部より下向きに導電柱２２が突出し、導電制動シート２の上方を制動ブロック２３が挿通され、制動ブロック２３と導電制動シート２の間に水平に第１バネ２４が設置され、制動ブロック２３が前向きに移動させられる時に、後ろ向きにもとの位置に弾性回復できるものとされ、また、制動ブロック２３の一側辺に第１歯２３１及び第２歯２３２が設けられ（図６を参照されたい）、第２歯２３２は第１歯２３１の前側に位置し、また、該第１歯２３１の前側は傾斜部２３３とされる。また、制動ブロック２３の別の一側辺に突棒２３４が設けられている。また、制動端１２２が下に移動する時、制動端１２２は該制動ブロック２３を押し下げて、制動ブロック２３と導電制動シート２を一体に下に移動させる（図５に示されるとおり）。
【００３２】
電気連結シート３（図４、５に示されるとおり）は、上向きに座体２’の内底部より突伸し、且つ導電制動シート２の導電柱２２の下方に位置し、制動ブロック２３と導電制動シート２が下に移動させられた後、導電柱２２は電気連結シート３に挿入されて導電でき、且つ導電制動シート２が上向きにもとの位置に弾性回復すると、停電する。
【００３３】
ギアアセンブリ４（図４に示されるとおり）は、ギアセット４’と第１ギア４１の組合せとされ、該第１ギア４１は部分扇状ギア４１１を具え、これにより、側辺のピストンアセンブリ７を駆動し、且つ第１ギア４１が回転して部分扇状ギア４１１がまだピストンアセンブリ７と噛み合わない時、ピストンアセンブリ７は位置回復し、これにより、ＢＢ弾は銃身に沿って発射され、こうして一次の撃発動作を完成し（これは周知の動作原理であるため、図示していない）、並びに第１ギア４１が回転して部分扇状ギア４１１がピストンアセンブリ７に再度噛み合うと、すなわち、次の撃発に待機する。該第１ギア４１の一側の中心にはカム４１２がある。
【００３４】
スイングロッド５（図５に示されるとおり）は、底部の一カ所が定点枢接され、底端が強制的に第１ギア４１のカム４１２に圧接され、ゆえに、第１ギア４１が回転して一回の撃発動作を完成する時、スイングロッド５は定点枢接部分を以て軸点として一回スイングし（図５に示されるとおり）、スイングロッド５の上端には作動端５１があり、作動端５１はプッシュブロック５２に枢接され（図６、７に示されるとおり）、且つプッシュブロック５２と作動端５１の間には第２バネ５３があり、プッシュブロック５２は作動端５１に弾性結合させられ、且つ制動端１２２が下に移動させられて制動端１２２、導電制動シート２が一体に下に移動した後、制動ブロック２３は作動端５１の側辺（図８に示されるとおり）に位置し、且つプッシュブロック５２は第１歯２３１の後側（図９に示されるとおり）に位置するか、或いは第２歯２３２の後側（図１１に示されるとおり）に位置するか、或いは第２歯２３２の前側（図１３に示されるとおり）に位置し得る。このほか、スイングロッド５の上端に別に延伸ロッド５４が増設され、且つスイングロッド５の前端は第３バネ５５に弾性当接し（図６に示されるとおり）、スイングロッド５が前向きに移動させられる時に、もとの位置に弾性回復可能である。
【００３５】
制御アセンブリ６（図３に示されるとおり）は、回転軸６１、連動ロッド６２及びロッドシート６３を具え、該回転軸６１の側辺に少なくとも一つの回転ブロック６１１があり（図３は二側それぞれに回転ブロックを有する例である）、連動ロッド６２は回転軸６１に枢接され、ロッドシート６３はさらに連動ロッド６２に枢接され、またロッドシート６３の両側に下向きに延伸された第１ロッド６３１と第２ロッド６３２があり、且つ回転ブロック６１１が回される時、回転軸６１が回転し且つ該連動ロッド６２が駆動され、連動ロッド６２がこれによりロッドシート６３を回転させ、第１ロッド６３１と第２ロッド６３２を相互に反対方向にスイングさせる。さらに、回転ブロック６１１が回転させられた後に第１位置Ｐ１、第２位置Ｐ２及び第３位置Ｐ３を有する（図２に示されるとおり）。
【００３６】
回転ブロック６１１が回転させられて第１位置Ｐ１に至る時には、第１ロッド６３１は前向きに制動ブロック２３の突棒２３４を押動し（図９に示されるとおり）、制動ブロック２３を前に移動させ、且つ導電制動シート２と制動ブロック２３を下に移動させた後には、プッシュブロック５２は第１歯２３１の後側に位置する。
【００３７】
回転ブロック６１１が回転させられて第２位置Ｐ２に至る時には、第１ロッド６３１は突棒２３４の側辺に位置し（図１１に示されるとおり）、且つ制動ブロック２３は前に移動しておらず、導電制動シート２と制動ブロック２３が下に移動させられた後、プッシュブロック５２は第２歯２３２の後側に位置する。
【００３８】
また、回転ブロック６１１が回転させられて第３位置Ｐ３に至る時、第１ロッド６３１は後ろ向きに突棒２３４より離れ（図１３に示されるとおり）、制動ブロック２３もまた移動せず、且つ第２ロッド６３２は前向きに移動してスイングロッド５の延伸ロッド５４を押動し、スイングロッド５を前向きに移動させ、並びに導電制動シート２と制動ブロック２３を一体に下に移動させた後、プッシュブロック５２は第２歯２３２の前側に位置する。
【００３９】
以上はすなわち、制御アセンブリ６が制動ブロック２３の水平位置を調整できる構造の実施過程である。
【００４０】
以上の構成を受けて実施する時、制御アセンブリ６の回転ブロック６１１はそれぞれ回転させられて第１位置Ｐ１、第２位置Ｐ２、第３位置Ｐ３に至り（図２を参照されたい）、且つトリガー１が引かれて制動ブロック２３、導電制動シート２が一体に下に移動した後、制動ブロック２３が下に移動して作動端５１の側辺に至り、且つプッシュブロック５２がそれぞれ第１歯２３１の後側（図９に示されるとおり）、第２歯２３２の後側（図１１に示されるとおり）、第２歯２３２の前側（図１３に示されるとおり）に位置し、すなわち、単発、二連発、多連発の実施過程とされる。
【００４１】
以下に三種類の実施過程の具体的動作についてそれぞれ記述する。
【００４２】
トリガー１が引かれる時、連接棒１２が制動ブロック２３を下に押して制動ブロック２３と導電制動シート２を一体に下に移動させ、これにより導電制動シート２を電気連結シート３に電気的に接触させて通電させ（図５に示されるとおり）、且つプッシュブロック５２が第１歯２３１の後側に位置する時（図９に示されるとおり）、この時、ギアアセンブリ４はそれに伴い回転し、一回の撃発動作を行ない、スイングロッド５をスイングさせ、スイングロッド５が前向きに移動する瞬間に、作動端５１のプッシュブロック５２に第１歯２３１を前向きに押動させ（図１０に示されるとおり）、且つ制動ブロック２３はそれに伴い前向きに移動して連接棒１２の制動端１２２による下圧より離脱する。続いて、導電制動シート２が弾性部品２１（図４、５を参照されたい）の弾性回復力により、電気連結シート３より離脱して停電し上向きにもとの位置にもどり、これが単発の構造実施過程である。
【００４３】
次に、制動ブロック２３と導電制動シート２が一体に下に移動し、且つプッシュブロック５２が第２歯２３２の後側に位置する（図１１に示されるとおり）時、並びに導電制動シート２と電気連結シート３が電気的に接触し通電する（図５に示されるとおり）と、このとき、ギアアセンブリ４はそれに伴い回転し、並びにスイングロッド５をスイングさせ、スイングロッド５が前向きに移動する瞬間（第１次撃発）、作動端５１のプッシュブロック５２に第２歯２３２を前向きに押動させ（図１１に示されるとおり）、制動ブロック２３をこれにより前向きに移動させ、制動ブロック２３が前向きに移動した後、プッシュブロック５２は第２バネ５３の弾力作用により、傾斜部２３３に沿って後ろ向きに移動して第１歯２３１の後側に移動し（図１２に示されるとおり）、続いて、スイングロッド５が第１ギア４１により再度回転して（第２次撃発）、プッシュブロック５２を前向きに移動させ、プッシュブロック５２はさらに第１歯２３１を前向きに押動する。このとき、制動ブロック２３は前向きに移動して連接棒１２の制動端１２２による下圧より離脱し（制動ブロック２３は前向きに移動して図１０に示される状態となる）、且つ導電制動シート２はこれにより電気連結シート３より離脱して停電し上向きに回復し、これは二連発の構造実施過程である。
【００４４】
さらに、制動ブロック２３と導電制動シート２が一体に下に移動し、且つプッシュブロック５２が第２歯２３２の前側に位置する時（図１３に示されるとおり）、並びに導電制動シート２と電気連結シート３が電気的に接触し通電すると（図５に示されるとおり）、このとき、ギアアセンブリ４はそれにより回転し、並びにスイングロッド５がスイングし作動端５１を前向きに移動させる時、プッシュブロック５２は第１歯２３１及び第２歯２３２を押動させられず、ゆえにギアアセンブリ４は連続して回転してスイングロッド５の作動端５１を反復して前後に移動させ、多連発の連続撃発過程とされ、わずかにトリガー１が釈放される時、連接棒１２の制動端１２２が上昇し、導電制動シート２を上に移動させて、電気連結シート３と不接触とすることで停電し、もとの位置に弾性回復する。
【００４５】
以上の構造及び実施説明から、本発明は該トリガー１、導電制動シート２、電気連結シート３、ギアアセンブリ４とスイングロッド５の組合せ設置により、単発、二連発及び多連発の実施機能を達成でき、さらに、制御アセンブリ６の制御選択により、本発明は単発、二連発及び多連発の実施機能を同時に具備させられ、且つ電動玩具銃の内部空間に対して、単発、二連発及び多連発機能を具備させる目的を達成し、その本物の模倣性をアップし、製品の完全性を消費者の要求に合致させ、市場の競争力をアップする。
【００４６】
総合すると、本発明は確実に産業上の利用性、新規性、進歩性を有し、特許の要件を満たす。ただし、以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００４７】
（周知実施例）
１０  ギアアセンブリ
２０  銃身
３０  ピストンアセンブリ
３０１  バネ
（本発明実施例）
Ａ  主銃身
Ｂ  副銃身
Ｐ１  第１位置
Ｐ２  第２位置
Ｐ３  第３位置
１  トリガー
１１  軸棒
１２  連接棒
１２１  枢接端
１２２  制動端
１２３  長孔
１３  押し軸
２  導電制動シート
２’  座体
２１  弾性部品
２２  導電柱
２３  制動ブロック
２３１  第１歯
２３２  第２歯
２３３  傾斜部
２３４  突棒
２４  第１バネ
３  電気連結シート
４  ギアアセンブリ
４’  ギアセット
４１  第１ギア
４１１  部分扇状ギア
４１２  カム
５  スイングロッド
５１  作動端
５２  プッシュブロック
５３  第２バネ
５４  延伸ロッド
５５  第３バネ
６  制御アセンブリ
６１  回転軸
６１１  回転ブロック
６２  連動ロッド
６３  ロッドシート
６３１  第１ロッド
６３２  第２ロッド
７  ピストンアセンブリ
【図１】
2014238196.tif 000003
【図２】
2014238196.tif 000004
【図３】
2014238196.tif 000005
【図４】
2014238196.tif 000006
【図５】
2014238196.tif 000007
【図６】
2014238196.tif 000008
【図７】
2014238196.tif 000009
【図８】
2014238196.tif 000010
【図９】
2014238196.tif 000011
【図１０】
2014238196.tif 000012
【図１１】
2014238196.tif 000013
【図１２】
2014238196.tif 000014
【図１３】
2014238196.tif 000015